(57)【要約】【課題】トラッキングに問題を生じ難い記録媒体を提供すること。【解決手段】本発明の記録媒体１は、記録セル群６を配列してなるサブトラック２１０を配列することによりそれぞれが構成された記録トラック帯２１及び記録トラック帯２１間に介在した分離帯２２を備えた記録領域２と、記録領域２に隣接し且つアドレス部３２及びバースト部３４を備えたサーボ領域３とを具備し、バースト部３４は領域Ｐ１〜Ｐ４を含み、領域Ｐ１〜Ｐ４のそれぞれでは互いに異なるレベルの信号を出力する信号レベル部３０１，３０２が交互に配列し、領域Ｐ１と領域Ｐ２とはそれぞれ線５１を信号レベル部３０１，３０２間の境界線とするとともに信号レベル部３０１，３０２の位置を反転させた関係にあり、領域Ｐ３と領域Ｐ４とはそれぞれ線５２及び線５３の双方を信号レベル部３０１，３０２間の境界線とするとともに信号レベル部３０１，３０２の位置を反転させた関係にある。【選択図】    図１
2004265486.tif 000002
【特許請求の範囲】
【請求項１】
記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、
前記記録領域に対して前記第１方向に隣接し、前記第１方向に沿って配列したアドレス部及びバースト部を備えたサーボ領域とを具備し、
前記バースト部は前記第１方向に隣り合う第１乃至第４領域を含み、
前記第１乃至第４領域のそれぞれでは互いに異なるレベルの信号を出力する第１及び第２信号レベル部が前記第２方向に交互に配列し、
前記第１領域と前記第２領域とは、それぞれ前記サブトラックの各中心線を前記第１及び第２信号レベル部間の境界線とするとともに、前記第１及び第２信号レベル部の位置を反転させた関係にあり、
前記第３領域と前記第４領域とは、それぞれ個々の前記記録トラック帯内で隣接した前記サブトラック間を通る各線及び前記分離帯上を通る各線の双方を前記第１及び第２信号レベル部間の境界線とするとともに、前記第１及び第２信号レベル部の位置を反転させた関係にあることを特徴とする記録媒体。
【請求項２】
記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、
前記記録領域に対して前記第１方向に隣接し、前記第１方向に沿って配列したアドレス部及びバースト部を備えたサーボ領域とを具備し、
前記アドレス部では互いに異なるレベルの信号を出力する第１及び第２信号レベル部が二次元的に配列し、
前記アドレス部の少なくとも一部において前記第１及び第２信号レベル部は前記分離帯上を通る線を境界線としていることを特徴とする記録媒体。
【請求項３】
記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、
前記記録領域に対して前記第１方向に隣接し、前記第１方向に沿って配列したアドレス部及びバースト部を備えたサーボ領域とを具備し、
前記アドレス部では互いに異なるレベルの信号を出力する第１及び第２信号レベル部が二次元的に配列し、
前記アドレス部の少なくとも一部において前記第１及び第２信号レベル部は前記分離帯上を通る線を境界線とし、
前記バースト部は前記第１方向に隣り合う第１乃至第４領域を含み、
前記第１乃至第４領域のそれぞれでは前記第１及び第２信号レベル部が前記第２方向に交互に配列し、
前記第１領域と前記第２領域とは、それぞれ前記サブトラックの各中心線を前記第１及び第２信号レベル部間の境界線とするとともに、前記第１及び第２信号レベル部の位置を反転させた関係にあり、
前記第３領域と前記第４領域とは、それぞれ個々の前記記録トラック帯内で隣接した前記サブトラック間を通る各線及び前記分離帯上を通る各線の双方を前記第１及び第２信号レベル部間の境界線とするとともに、前記第１及び第２信号レベル部の位置を反転させた関係にあることを特徴とする記録媒体。
【請求項４】
記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、
前記記録領域に対して前記第１方向に隣接し、前記第１方向に沿って配列したアドレス部及びバースト部を備えたサーボ領域とを具備し、
前記アドレス部は、前記サブトラック及び前記分離帯のそれぞれに対して前記第１方向に沿って対応する位置にそれらのアドレス情報を保持していることを特徴とする記録媒体。
【請求項５】
記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、
前記記録領域に対して前記第１方向に隣接し、前記第１方向に沿って配列したアドレス部及びバースト部を備えたサーボ領域とを具備し、
前記バースト部は前記第１方向に隣り合う第１乃至第４領域を含み、
前記第１乃至第４領域のそれぞれでは互いに異なるレベルの信号を出力する第１及び第２信号レベル部が前記第２方向に交互に配列し、
前記第１領域と前記第２領域とは、それぞれ前記サブトラックの各中心線及び前記分離帯の各中心線の双方を前記第１及び第２信号レベル部間の境界線とするとともに、前記第１及び第２信号レベル部の位置を反転させた関係にあり、
前記第３領域と前記第４領域とは、それぞれ個々の前記記録トラック帯内で隣接した前記サブトラック間を通る各線及び前記分離帯とそれに隣接した前記サブトラック間を通る各線の双方を前記第１及び第２信号レベル部間の境界線とするとともに、前記第１及び第２信号レベル部の位置を反転させた関係にあることを特徴とする記録媒体。
【請求項６】
記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、
前記記録領域に対して前記第１方向に隣接し、前記第１方向に沿って配列したアドレス部及びバースト部を備えたサーボ領域とを具備し、
前記アドレス部は、前記サブトラック及び前記分離帯のそれぞれに対して前記第１方向に沿って対応する位置にそれらのアドレス情報を保持しており、
前記バースト部は前記第１方向に隣り合う第１乃至第４領域を含み、
前記第１乃至第４領域のそれぞれでは互いに異なるレベルの信号を出力する第１及び第２信号レベル部が前記第２方向に交互に配列し、
前記第１領域と前記第２領域とは、それぞれ前記サブトラックの各中心線及び前記分離帯の各中心線の双方を前記第１及び第２信号レベル部間の境界線とするとともに、前記第１及び第２信号レベル部の位置を反転させた関係にあり、
前記第３領域と前記第４領域とは、それぞれ個々の前記記録トラック帯内で隣接した前記サブトラック間を通る各線及び前記分離帯とそれに隣接した前記サブトラック間を通る各線の双方を前記第１及び第２信号レベル部間の境界線とするとともに、前記第１及び第２信号レベル部の位置を反転させた関係にあることを特徴とする記録媒体。
【請求項７】
前記分離帯と前記サブトラックとは幅が互いに等しいことを特徴とする請求項４乃至請求項６の何れか１項に記載の記録媒体。
【請求項８】
前記分離帯には記録部が設けられていることを特徴とする請求項１乃至請求項７の何れか１項に記載の記録媒体。
【請求項９】
請求項１乃至請求項８の何れか１項に記載の記録媒体と、
前記記録媒体に対向可能な記録再生ヘッドと、
前記記録再生ヘッドを前記記録媒体に対して前記第１方向に相対移動させる駆動機構とを具備したことを特徴とする記録再生装置。
【発明の詳細な説明】
【０００１】
【発明の属する技術分野】
本発明は、記録媒体及び記録再生装置に関する。
【０００２】
【従来の技術】
パーソナルコンピュータなどの情報機器の飛躍的な機能向上により、ユーザが扱う情報量は著しく増大してきている。このような状況のもと、記録密度が飛躍的に高い記録再生装置や再生装置に対する期待は高まるばかりである。
【０００３】
記録再生装置の記録密度を向上させるためには、記録媒体の記録マークを微小化することが必要である。しかしながら、現在、記録マークの微小化を実現するうえで大きな困難に直面している。
【０００４】
例えば、ハードディスクドライブ（以下、ＨＤＤという）などで使用される磁気ディスクでは、記録層に粒度分布の広い多結晶体を用いており、記録層中に含まれる小さな多結晶体が多いほど結晶の熱揺らぎに起因して記録の安定性が低くなる。このため、記録マークが大きい場合は問題ないが、記録マークが小さい場合には記録の安定性が低下してノイズが増大する。これは、記録マークを小さくすると、記録マークに含まれる結晶粒の数が少なくなることと、記録マーク間の相互作用が相対的に大きくなることとが要因になっている。
【０００５】
そこで、磁気記録の分野においては、記録材料粒子間に非記録材料を介在させてそれら粒子を互いに離間させ、個々の記録材料粒子を１つの記録セルとしたパターンドメディアが提案されている。例えば、このような技術を利用することにより、上記の問題は回避可能であると考えられている。
【０００６】
ところで、パターンドメディアでは、記録セルを規則的に配置する必要がある。しかしながら、微細な記録セルを効率的且つ精度よく配置することは必ずしも容易ではない。
【０００７】
このような問題に対しては、記録トラック帯及び分離帯を利用した技術がある（以下の特許文献１を参照のこと）。この技術では、基板の一主面に表面状態が互いに異なる２種類の帯状部分を交互に配列して記録トラック帯及び分離帯を規定し、それらの表面状態の違いを利用して記録トラック帯のみに記録セルを配列させる。こうすると、各種条件を適宜設定することにより、記録セルを記録トラック帯内で最密に配列させることができ、したがって、微細な記録セルを効率的且つ精度よく配置することができる。
【０００８】
先の技術では、通常、記録媒体の記録容量を高めるために、各記録トラック帯内に複数のサブトラックを配置した構造を採用する。このような構造では、或る記録トラック内で隣接するサブトラック間には分離帯は介在しないのに対し、隣り合う記録トラック間で隣接するサブトラック間には分離帯が介在する。そのため、先の構造を採用すると、分離帯の存在に起因してトラッキングに問題を生じることが予想される。
【０００９】
【特許文献１】
特開２００２−２７９６１６
【００１０】
【発明が解決しようとする課題】
本発明の目的は、記録トラック帯及び分離帯が設けられ且つトラッキングに問題を生じ難い記録媒体及びそれを用いた記録再生装置を提供することにある。
【００１１】
【課題を解決するための手段】
本発明の第１の側面によると、記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、前記記録領域に対して前記第１方向に隣接し、前記第１方向に沿って配列したアドレス部及びバースト部を備えたサーボ領域とを具備し、前記バースト部は前記第１方向に隣り合う第１乃至第４領域を含み、前記第１乃至第４領域のそれぞれでは互いに異なるレベルの信号を出力する第１及び第２信号レベル部が前記第２方向に交互に配列し、前記第１領域と前記第２領域とは、それぞれ前記サブトラックの各中心線を前記第１及び第２信号レベル部間の境界線とするとともに、前記第１及び第２信号レベル部の位置を反転させた関係にあり、前記第３領域と前記第４領域とは、それぞれ個々の前記記録トラック帯内で隣接した前記サブトラック間を通る各線及び前記分離帯上を通る各線の双方を前記第１及び第２信号レベル部間の境界線とするとともに、前記第１及び第２信号レベル部の位置を反転させた関係にあることを特徴とする記録媒体が提供される。
【００１２】
本発明の第２の側面によると、記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、前記記録領域に対して前記第１方向に隣接し、前記第１方向に沿って配列したアドレス部及びバースト部を備えたサーボ領域とを具備し、前記アドレス部では互いに異なるレベルの信号を出力する第１及び第２信号レベル部が二次元的に配列し、前記アドレス部の少なくとも一部において前記第１及び第２信号レベル部は前記分離帯上を通る線を境界線としていることを特徴とする記録媒体が提供される。
【００１３】
本発明の第３の側面によると、記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、前記記録領域に対して前記第１方向に隣接し、前記第１方向に沿って配列したアドレス部及びバースト部を備えたサーボ領域とを具備し、前記アドレス部では互いに異なるレベルの信号を出力する第１及び第２信号レベル部が二次元的に配列し、前記アドレス部の少なくとも一部において前記第１及び第２信号レベル部は前記分離帯上を通る線を境界線とし、前記バースト部は前記第１方向に隣り合う第１乃至第４領域を含み、前記第１乃至第４領域のそれぞれでは前記第１及び第２信号レベル部が前記第２方向に交互に配列し、前記第１領域と前記第２領域とは、それぞれ前記サブトラックの各中心線を前記第１及び第２信号レベル部間の境界線とするとともに、前記第１及び第２信号レベル部の位置を反転させた関係にあり、前記第３領域と前記第４領域とは、それぞれ個々の前記記録トラック帯内で隣接した前記サブトラック間を通る各線及び前記分離帯上を通る各線の双方を前記第１及び第２信号レベル部間の境界線とするとともに、前記第１及び第２信号レベル部の位置を反転させた関係にあることを特徴とする記録媒体が提供される。
【００１４】
本発明の第４の側面によると、記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、前記記録領域に対して前記第１方向に隣接し、前記第１方向に沿って配列したアドレス部及びバースト部を備えたサーボ領域とを具備し、前記アドレス部は、前記サブトラック及び前記分離帯のそれぞれに対して前記第１方向に沿って対応する位置にそれらのアドレス情報を保持していることを特徴とする記録媒体が提供される。
【００１５】
本発明の第５の側面によると、記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、前記記録領域に対して前記第１方向に隣接し、前記第１方向に沿って配列したアドレス部及びバースト部を備えたサーボ領域とを具備し、前記バースト部は前記第１方向に隣り合う第１乃至第４領域を含み、前記第１乃至第４領域のそれぞれでは互いに異なるレベルの信号を出力する第１及び第２信号レベル部が前記第２方向に交互に配列し、前記第１領域と前記第２領域とは、それぞれ前記サブトラックの各中心線及び前記分離帯の各中心線の双方を前記第１及び第２信号レベル部間の境界線とするとともに、前記第１及び第２信号レベル部の位置を反転させた関係にあり、前記第３領域と前記第４領域とは、それぞれ個々の前記記録トラック帯内で隣接した前記サブトラック間を通る各線及び前記分離帯とそれに隣接した前記サブトラック間を通る各線の双方を前記第１及び第２信号レベル部間の境界線とするとともに、前記第１及び第２信号レベル部の位置を反転させた関係にあることを特徴とする記録媒体が提供される。
【００１６】
本発明の第６の側面によると、記録セルまたは記録セル群を第１方向に沿って配列してなるサブトラックを前記第１方向と交差する第２方向に配列することによりそれぞれが構成された記録トラック帯及び前記記録トラック帯間に介在した分離帯を備えた記録領域と、前記記録領域に対して前記第１方向に隣接し、前記第１方向に沿って配列したアドレス部及びバースト部を備えたサーボ領域とを具備し、前記アドレス部は、前記サブトラック及び前記分離帯のそれぞれに対して前記第１方向に沿って対応する位置にそれらのアドレス情報を保持しており、前記バースト部は前記第１方向に隣り合う第１乃至第４領域を含み、前記第１乃至第４領域のそれぞれでは互いに異なるレベルの信号を出力する第１及び第２信号レベル部が前記第２方向に交互に配列し、前記第１領域と前記第２領域とは、それぞれ前記サブトラックの各中心線及び前記分離帯の各中心線の双方を前記第１及び第２信号レベル部間の境界線とするとともに、前記第１及び第２信号レベル部の位置を反転させた関係にあり、前記第３領域と前記第４領域とは、それぞれ個々の前記記録トラック帯内で隣接した前記サブトラック間を通る各線及び前記分離帯とそれに隣接した前記サブトラック間を通る各線の双方を前記第１及び第２信号レベル部間の境界線とするとともに、前記第１及び第２信号レベル部の位置を反転させた関係にあることを特徴とする記録媒体が提供される。
【００１７】
本発明の第７の側面によると、第１乃至第６の側面の何れかに係る記録媒体と、前記記録媒体に対向可能な記録再生ヘッドと、前記記録再生ヘッドを前記記録媒体に対して前記第１方向に相対移動させる駆動機構とを具備したことを特徴とする記録再生装置が提供される。
【００１８】
第４乃至第６の側面において、分離帯とサブトラックとは幅が互いに等しくてもよい。また、第１乃至第６の側面において、分離帯には記録部が設けられていてもよい。
【００１９】
なお、ここで、用語「第１方向」は、直線的な方向や円周方向などを包含することとする。また、用語「第２方向」は、「第１方向」が円周方向である場合には典型的には半径方向を意味し、「第１方向」が直線的な方向である場合には典型的には「第１方向」と直交する方向を意味する。
【００２０】
また、記録トラック帯と分離帯との間の境界は、ここでは、以下のように定める。まず、或る記録トラック帯に含まれるサブトラックのうち、分離帯と隣接していないものに着目する。次に、分離帯と隣接していないサブトラックの幅を、例えば、第２方向に関する記録セルまたは記録セル群のピッチなどから求める。このようにして求めたサブトラックの幅が分離帯と隣接したサブトラックの幅と等しいこととし、隣り合う２つのサブトラック間の境界位置が一方のサブトラックに含まれる記録セルまたは記録セル群と他方のサブトラックに含まれる記録セルまたは記録セル群との中間位置であるとすると、記録トラック帯と分離帯との間の境界が定まる。
【００２１】
【発明の実施の形態】
以下、本発明の実施形態について、図面を参照しながら説明する。なお、各図において、同様または類似する機能を有する構成要素には同一の参照符号を付し、重複する説明は省略する。
【００２２】
図１は、本発明の第１の実施形態に係る記録媒体の一部を概略的に示す平面図である。図１に示す記録媒体１はパターンドメディアであり、基板（図示せず）の一主面上にデータ領域２とサーボ領域３とを設けた構造を有している。なお、図中、両矢印４１はトラック方向である第１方向を示しており、両矢印４２は第１方向４１と交差する第２方向（ここでは第１方向４１に垂直な方向）を示している。
【００２３】
データ領域２は、記録トラック帯２１と分離帯２２とで構成されている。各記録トラック帯２１は、第２方向４２に配列した複数のサブトラック２１０を含んでいる。ここでは、一例として、各記録トラック体２１は４つのサブトラック２１０を含んでいる。これらサブトラック２１０の幅は互いに等しく、各サブトラック２１０は複数の記録セル２１０１を含んでいる。また、分離帯２２は、例えば、畝状の凸部や記録セル２１０１の下地とは異なる材料からなる帯状部のように、記録セル２１０１の下地とは表面状態が異なっている。
【００２４】
記録セル２１０１は互いに離間するとともに、各サブトラック２１０内で第１方向４１に沿って規則的に配列している。例えば、記録セル２１０１は、それらの中心同士を直線で結んだ場合に正三角形を形成するように配列している。
【００２５】
それぞれのサブトラック２１０において、１つの記録セル２１０１が１つの二値情報，すなわち情報“０”または“１”，に対応していてもよく、或いは、複数の記録セル２１０１，すなわち記録セル群，が１つの二値情報に対応していてもよい。なお、図１に示す例では、破線６で囲んだ一対の記録セル２１０１で１つの記録セル群を構成し、それぞれの記録セル群が１つの二値情報に対応している。
【００２６】
サーボ領域３は、データ領域２に対し、第１方向４１に隣接している。サーボ領域３は、例えば、ＡＧＣ（Ａｕｔｏｍａｔｉｃ  Ｇａｉｎ  Ｃｏｎｔｒｏｌ）部３１、アドレス部３２、パッド部３３、バースト部３４、及びパッド部３５を含んでいる。なお、図１に示す例では、情報の書き込み時及び読み出し時において、記録媒体１は記録再生ヘッド（図示せず）に対して左方向に相対移動させる。したがって、ＡＧＣ部３１、アドレス部３２、パッド部３３、バースト部３４、及びパッド部３５は、図中、左側から右側へ向けて順次配列している。
【００２７】
ＡＧＣ部３１は、アドレス部３２やバースト部３４や記録セル２１０１などからの信号を適正な大きさに増幅するための基準として利用可能な信号，例えばＨｉｇｈレベルの信号，を出力する。ＡＧＣ部３１は、第２方向４２に連続しており、記録再生ヘッドを両矢印５で示す何れの方向に移動させた場合においても一定強度の信号を出力するように構成されている。ＡＧＣ部３１は必ずしも設ける必要はないが、ＡＧＣ部３１を設けると、アドレス部３２やバースト部３４や記録セル２１０１などからの信号を増幅するに際し、ＡＧＣ部３１からの信号強度に応じて、記録再生装置の利得を変化させることができる。したがって、情報の書き込み及び読み出しをより高い精度で実施可能となる。
【００２８】
アドレス部３２は、各サブトラック２１０に対応したアドレス情報を保持している。アドレス部３２の各サブトラック２１０に対応したそれぞれの部分は、例えば、Ｈｉｇｈレベルの信号を出力する第１信号レベル部３０１とＬｏｗレベルの信号を出力する第２信号レベル部３０２とを第１方向４１に沿って配列した構造を有しており、それら第１信号レベル部３０１と第２信号レベル部３０２との配列パターンはアドレス情報に対応して定められている。また、アドレス部３２において第２方向４２に隣り合う第１信号レベル部３０１と第２信号レベル部３０２とは、例えば、記録トラック帯２１内で隣接したサブトラック２１０間を通り且つ第１方向４１に沿った線５２及び分離帯２２の中心を通り且つ第１方向４１に沿った線５３を境界としている。
【００２９】
パッド部３３は必ずしも設ける必要はないが、パッド部３３を設けた場合、アドレス部３２からの信号とバースト部３４からの信号とを分離するうえで有利である。同様に、パッド部３５は必ずしも設ける必要はないが、パッド部３５を設けた場合、バースト部３４からの信号とサブトラック２１０からの信号とを分離するうえで有利である。
【００３０】
バースト部３４は、記録再生ヘッドと選択したサブトラック２１０との第２方向４２に関する相対位置の情報を与える。バースト部３４は、例えば、第１方向４１に配列した第１乃至第４領域Ｐ１乃至Ｐ４を含んでいる。また、第１乃至第４領域Ｐ１乃至Ｐ４のそれぞれにおいては、例えば、Ｈｉｇｈレベルの信号を出力する第１信号レベル部３０１とＬｏｗレベルの信号を出力する第２信号レベル部３０２とが第２方向４２に配列している。
【００３１】
本実施形態では、第１領域Ｐ１及び第２領域Ｐ２において、第１信号レベル部３０１と第２信号レベル部３０２とは、サブトラック２１０の中心を通り且つ第１方向４１に沿った各線，すなわちサブトラック２１０の中心線５１，を境界線としている。また、第１領域Ｐ１と第２領域Ｐ２とは、第１信号レベル部３０１及び第２信号レベル部３０２の位置を反転させた関係にある。他方、第３領域Ｐ１及び第４領域Ｐ４において、第１信号レベル部３０１と第２信号レベル部３０２とは、各記録トラック帯２１内で隣接したサブトラック２１０間を通り且つ第１方向４１に沿った線５２及び分離帯２２上の何れかの点を通り且つ第１方向４１に沿った線，例えば分離帯２２の中心線５３，を境界線としている。また、第３領域Ｐ３と第４領域Ｐ４とは、第１信号レベル部３０１及び第２信号レベル部３０２の位置を反転させた関係にある。
【００３２】
このような構成を採用すると、以下に説明する方法によりトラッキングを行うことができる。
【００３３】
図２（ａ）乃至（ｆ）は、図１の記録媒体１を記録再生装置に搭載した場合にバースト部３４から得られる信号の例を示すグラフである。なお、図２（ａ）乃至（ｆ）は、それぞれ、図１に参照符号Ａ乃至Ｆで示すように記録再生ヘッドの検出部と記録媒体１との第２方向４２についての相対位置を定めた場合に得られるデータを示している。また、図２（ａ）乃至（ｆ）において、横軸は例えば検出部のバースト部３４に対する第１方向についての相対位置を示し、縦軸は検出部によって検出される信号の強度を示している。
【００３４】
図１に参照符号Ａで示すように検出部の中心位置が線５１と一致している場合、バースト部３４を構成している領域Ｐ１乃至Ｐ４からは図２（ａ）で示す信号が得られる。すなわち、この場合、図２（ａ）に示すように、領域Ｐ３からの信号は最大となり、領域Ｐ４からの信号は最小となる。また、領域Ｐ１からの信号と領域Ｐ２からの信号とは強度が等しくなるとともに、それら強度は、領域Ｐ３からの信号の強度よりも小さく且つ領域Ｐ４からの信号の強度よりも大きくなる。
【００３５】
図１に参照符号Ｂで示すように検出部の中心位置が線５１よりも図中上方に僅かにズレている場合、バースト部３４を構成している領域Ｐ１乃至Ｐ４からは図２（ｂ）で示す信号が得られる。すなわち、この場合、図２（ｂ）に示すように、領域Ｐ３からの信号は最大となり、領域Ｐ４からの信号は最小となる。また、領域Ｐ１からの信号は領域Ｐ２からの信号よりも大きくなるとともに、それら強度は、領域Ｐ３からの信号の強度よりも小さく且つ領域Ｐ４からの信号の強度よりも大きくなる。
【００３６】
図１に参照符号Ｃで示すように検出部の中心位置が線５１よりも図中下方に僅かにズレている場合、バースト部３４を構成している領域Ｐ１乃至Ｐ４からは図２（ｃ）で示す信号が得られる。すなわち、この場合、図２（ｃ）に示すように、領域Ｐ３からの信号は最大となり、領域Ｐ４からの信号は最小となる。また、領域Ｐ１からの信号は領域Ｐ２からの信号よりも小さくなるとともに、それら強度は、領域Ｐ３からの信号の強度よりも小さく且つ領域Ｐ４からの信号の強度よりも大きくなる。
【００３７】
図１に参照符号Ｄで示すように検出部の中心位置が線５３と一致している場合、バースト部３４を構成している領域Ｐ１乃至Ｐ４からは図２（ｄ）で示す信号が得られる。すなわち、この場合、図２（ｄ）に示すように、領域Ｐ１からの信号は最小となり、領域Ｐ２からの信号は最大となる。また、領域Ｐ３からの信号と領域Ｐ４からの信号とは強度が等しくなるとともに、それら強度は、領域Ｐ１からの信号の強度よりも大きく且つ領域Ｐ２からの信号の強度よりも小さくなる。
【００３８】
図１に参照符号Ｅで示すように検出部の中心位置が線５３よりも図中上方にズレている場合、バースト部３４を構成している領域Ｐ１乃至Ｐ４からは図２（ｅ）で示す信号が得られる。すなわち、この場合、図２（ｅ）に示すように、領域Ｐ１からの信号は最小となり、領域Ｐ２からの信号は最大となる。また、領域Ｐ３からの信号は領域Ｐ４からの信号よりも大きくなるとともに、それら強度は、領域Ｐ１からの信号の強度よりも大きく且つ領域Ｐ２からの信号の強度よりも小さくなる。
【００３９】
図１に参照符号Ｆで示すように検出部の中心位置が線５３よりも図中下方にズレている場合、バースト部３４を構成している領域Ｐ１乃至Ｐ４からは図２（ｆ）で示す信号が得られる。すなわち、この場合、図２（ｆ）に示すように、領域Ｐ１からの信号は最小となり、領域Ｐ２からの信号は最大となる。また、領域Ｐ３からの信号は領域Ｐ４からの信号よりも小さくなるとともに、それら強度は、領域Ｐ１からの信号の強度よりも大きく且つ領域Ｐ２からの信号の強度よりも小さくなる。
【００４０】
このように、本実施形態によれば、記録トラック帯２１が記録再生ヘッドの検出部正面を通過するか或いは分離帯２２が検出部正面を通過するかに拘らず、バースト部３４からは、検出部の記録媒体１に対する第２方向４２についての相対位置に応じて異なる信号波形が得られる。そのため、記録トラック帯２１が検出部正面を通過する場合は勿論、分離帯２２が検出部正面を通過する場合にも、記録再生ヘッドの記録媒体１に対する第２方向４２についての相対位置情報が得られる。したがって、記録再生ヘッドの記録媒体１に対する相対位置に拘らず、トラッキングが可能となる。
【００４１】
具体的には、例えば、まず、領域Ｐ１乃至Ｐ４に対応して得られる４つの信号のうち、最も大きい２つを比較する。
【００４２】
その比較の結果、領域Ｐ１乃至Ｐ４に対応して得られる４つの信号のうち領域Ｐ３またはＰ４から得られる信号強度が最も大きい場合、検出部は線５３上に位置していないことが分かる。この場合、領域Ｐ１及びＰ２から得られる信号強度が互いに等しくなるように記録再生ヘッドを記録媒体１に対して第２方向４２に相対移動させることにより、記録再生ヘッドの検出部の中心位置を線５１（これはサブトラック２１０の中心位置に対応している）と一致させることができる。
【００４３】
また、領域Ｐ１乃至Ｐ４に対応して得られる４つの信号のうち領域Ｐ１またはＰ２から得られる信号強度が最も大きい場合、検出部は線５３上に位置していることが分かる。この場合、例えば、まず、領域Ｐ３及びＰ４から得られる信号強度の差が広がるように記録再生ヘッドを記録媒体１に対して第２方向４２に相対移動させる。こうすると、やがて、領域Ｐ１及びＰ２からの信号強度の双方が変化を開始する。その後、領域Ｐ１及びＰ２からの信号強度が互いに等しくなるように記録再生ヘッドを記録媒体１に対して第２方向４２に相対移動させることにより、記録再生ヘッドの検出部の中心位置を線５１（これはサブトラック２１０の中心位置に対応している）と一致させることができる。
【００４４】
このように、本実施形態によると、記録再生ヘッドの記録媒体１に対する相対位置に拘らず、トラッキングが可能となる。
【００４５】
また、本実施形態によれば、先のトラッキングに際し、記録再生ヘッドの記録媒体１に対する相対位置に拘らず、小さな信号同士を比較する必要がない。そのため、高い精度でトラッキングを行うことができる。
【００４６】
なお、サーボ領域３を横切るように分離帯２２を設けるとともにバースト部３４を領域Ｐ１，Ｐ２のみで構成した場合、以下に説明するように、トラッキングに不具合を生じ得る。
【００４７】
図３は、参考例に係る記録媒体とそれを搭載した記録再生装置の記録再生ヘッドに設けられた検出部との相対位置の例を概略的に示す平面図である。図３に示す記録媒体１は、サーボ領域３を横切るように分離帯２２が設けられ且つバースト部３４が領域Ｐ１，Ｐ２のみで構成されていること以外は図１に示す記録媒体１と同様の構造を有している。なお、図３において、参照符号Ａ乃至Ｆは、検出部の記録媒体１に対する第２方向４２についての相対位置を示している。
【００４８】
また、図４（ａ）乃至（ｆ）は、図３の記録媒体１を記録再生装置に搭載した場合にバースト部３４から得られる信号の例を示すグラフである。なお、図４（ａ）乃至（ｆ）は、それぞれ、図３に参照符号Ａ乃至Ｆで示すように記録再生ヘッドの検出部と記録媒体１との第２方向４２についての相対位置を定めた場合に得られるデータを示している。また、図４（ａ）乃至（ｆ）において、横軸は例えば検出部のバースト部３４に対する第１方向についての相対位置を示し、縦軸は検出部によって検出される信号の強度を示している。
【００４９】
図３に示す構造を採用した場合、記録トラック帯２１が検出部正面を通過するように記録再生ヘッドの検出部が記録媒体１に対して位置していれば、図４（ａ）乃至（ｃ）に示す信号波形が得られる。したがって、この場合、領域Ｐ１及びＰ２からの信号強度が互いに等しくなるように記録再生ヘッドを記録媒体１に対して第２方向４２に相対移動させることにより、記録再生ヘッドの検出部の中心位置を線５１（これはサブトラック２１０の中心位置に対応している）と一致させることができる。
【００５０】
しかしながら、分離帯２２が検出部正面を通過するように記録再生ヘッドの検出部が記録媒体１に対して位置していると、バースト部３４からの信号波形は、図４（ｄ）乃至（ｆ）に示すように、記録再生ヘッドと記録媒体１との第２方向４２に関する相対位置に応じて変化しない。そのため、この場合、バースト部３４からの信号波形から記録再生ヘッドの記録媒体１に対する第２方向４２についての相対位置情報を得ることができない。その結果、トラッキングが不可能となる。
【００５１】
次に、本発明の第２の実施形態について説明する。
【００５２】
図５は、本発明の第２の実施形態に係る記録媒体の一部を概略的に示す平面図である。第２の実施形態に係る記録媒体は、以下の構成を採用すること以外は第１の実施形態に係る記録媒体と同様である。
【００５３】
すなわち、本実施形態では、アドレス部３２は、各サブトラック２１０と各分離帯２２とに対応したアドレス情報を保持している。具体的には、アドレス部３２の各サブトラック２１０及び各分離帯２２に対応した部分は、例えば、Ｈｉｇｈレベルの信号を出力する第１信号レベル部３０１とＬｏｗレベルの信号を出力する第２信号レベル部３０２とを第１方向４１に沿って配列した構造を有しており、それら第１信号レベル部３０１と第２信号レベル部３０２との配列パターンはアドレス情報に対応して定められている。また、アドレス部３２において第２方向４２に隣り合う第１信号レベル部３０１と第２信号レベル部３０２とは、記録トラック帯２１内で隣接したサブトラック２１０間を通り且つ第１方向４１に沿った線５２及び分離帯２２とそれに隣接したサブトラック２１０間を通り且つ第１方向４１に沿った線５４を境界線としている。なお、ここでは、一例として、分離帯２２の幅をサブトラック２１０の幅とほぼ等しくしている。
【００５４】
本実施形態では、上記のようにアドレス部３２の各分離帯２２に対して第１方向４１に沿って対応する位置に当該分離帯２２のアドレス情報を記録しておくのに加え、例えば、記録再生装置の制御部などに分離帯２２のアドレス情報を記憶させておく。こうすると、分離帯２２が検出部正面を通過するように記録再生ヘッドの検出部が記録媒体１に対して位置した場合、その分離帯２２のアドレスに基づいて、記録再生ヘッドを本来アクセスすべきサブトラック２１０の正面へと相対移動させることができる。或いは、分離帯２２に対応したアドレス信号が検出された場合、例えば、その分離帯２２に隣り合うサブトラック２１０の正面へと記録再生ヘッドを相対移動させることができる。すなわち、本実施形態によると、第１の実施形態と同様に、記録再生ヘッドの記録媒体１に対する相対位置に拘らずトラッキングが可能であり、したがって、トラッキング不可能となるのを防止することができる。
【００５５】
本実施形態では、以下の構成をさらに採用してもよい。すなわち、第１領域Ｐ１及び第２領域Ｐ２では、サブトラック２１０の各中心線５１及び分離帯２２の各中心線５３の双方を、第１信号レベル部３０１と第２信号レベル部３０２との境界線とする。また、第１領域Ｐ１と第２領域Ｐ２とは、第１信号レベル部３０１及び第２信号レベル部３０２の位置を反転させた関係とする。第３領域Ｐ３及び第４領域Ｐ４では、各記録トラック帯２１内で隣接したサブトラック２１０間を通り且つ第１方向４１に沿った各線５２及び分離帯２２とそれに隣接したサブトラック２１０間を通り且つ第１方向４１に沿った各線５４の双方を、第１信号レベル部３０１と第２信号レベル部３０２との境界線とする。また、第３領域Ｐ３と第４領域Ｐ４とは、第１信号レベル部３０１及び第２信号レベル部３０２の位置を反転させた関係とする。
【００５６】
このような構造を採用すると、記録トラック帯２１が検出部正面を通過するように記録再生ヘッドの検出部が記録媒体１に対して位置していれば、第１の実施形態において図１及び図２（ａ）乃至（ｃ）を参照して説明したのと同様の方法により、記録再生ヘッドの検出部の中心位置を線５１（これはサブトラック２１０の中心位置に対応している）と一致させることができる。加えて、分離帯２２が検出部正面を通過するように記録再生ヘッドの検出部が記録媒体１に対して位置している場合には、これと同様の方法により、記録再生ヘッドの検出部の中心位置を線５３（これは分離帯２２の中心位置に対応している）と一致させることができる。したがって、分離帯２２のアドレス情報を高精度に読み出すことができる。
【００５７】
次に、本発明の第３の実施形態について説明する。
【００５８】
図６は、本発明の第３の実施形態に係る記録媒体の一部を概略的に示す平面図である。第３の実施形態に係る記録媒体は、分離帯２２に記録部２２０１を設けること以外は第２の実施形態に係る記録媒体と同様である。したがって、本実施形態でも、記録再生ヘッドの記録媒体１に対する相対位置に拘らずトラッキングが可能であり、したがって、トラッキング不可能となるのを防止することができる。
【００５９】
本実施形態では、記録部２２０１に、様々な情報を記録することができる。例えば、記録部２２０１に、アドレスや情報暗号化で利用する鍵情報などを記録することができる。特に、記録部２２０１にアドレスを記録した場合、以下に説明する効果が得られる。
【００６０】
本実施形態において、アドレス部３２には、各分離帯２２のアドレス情報が、第１方向４１に沿った第１信号レベル部３０１と第２信号レベル部３０２との配列パターンとして記録されている。記録部２２０１に、第１方向４１に関する第１信号レベル部３０１及び第２信号レベル部３０２の幅をより広くしたこと以外は同様の配列パターンを記録しておくと、記録再生ヘッドに対して記録媒体１を第１方向４１により高速で相対移動させた場合にも、記録部２２０１に記録されたアドレスを読み出すことができる。したがって、より高速な動作が可能となる。
【００６１】
なお、第１乃至第３の実施形態では、領域Ｐ１乃至Ｐ４をアドレス部３２側からこの順に配列したが、領域Ｐ１乃至Ｐ４の配列順に特に制限はない。例えば、領域Ｐ１乃至Ｐ４の配列順は逆であってもよい。また、領域Ｐ１及び領域Ｐ２は隣り合っている必要はなく、領域Ｐ３及び領域Ｐ４も隣り合っている必要はない。例えば、領域Ｐ１と領域Ｐ２との間に領域Ｐ３及び／または領域Ｐ４が介在していてもよい。これは、図２（ａ）乃至（ｆ）などに関する説明から明らかなように、トラッキングを行うための信号処理は、領域Ｐ１乃至Ｐ４からの信号の全てを記憶装置に蓄積した後に行われるためである。
【００６２】
以上説明した第１乃至第３の実施形態に係る記録媒体１は、例えば、以下の記録再生装置に搭載することができる。
【００６３】
図７は、第１乃至第３の実施形態の何れかに係る記録媒体１を搭載した記録再生装置の一例を概略的に示す斜視図である。
【００６４】
図７に示す記録再生装置１０は、磁気記録再生装置であり、記録媒体１として磁気ディスクを有している。
【００６５】
記録媒体１が磁気ディスクである場合、記録セル２１０１や記録部２２０１は磁性材料を含む。また、記録トラック帯２１内で隣り合う記録セル２１０１間には非磁性材料を介在させるか或いは何も介在させずに離間させて、それら記録セル２１０１を互いから磁気的に分離する。同様に、記録セル２１０１と記録部２２０１との間には非磁性材料を介在させるか或いは何も介在させずに離間させって、それらを互いから磁気的に分離する。
【００６６】
記録媒体１が磁気ディスクである場合、記録媒体１のサーボ領域３は、例えば、磁性材料の連続膜を磁気記録層として含むことができる。そのような磁気記録層には、予め、磁気特性が互いに異なる２種類の領域を第１信号レベル部３０１と第２信号レベル部３０２と対応して形成しておく。或いは、第１信号レベル部３０１及び第２信号レベル部３０２のうちの一方のみに磁気記録層を形成してもよい。
【００６７】
磁気ディスク１はスピンドル６３に回転可能に支持されており、スピンドル６３には制御部（図示せず）に含まれる制御回路からの制御信号に応じて動作するモータ（図示せず）が接続されている。図７に示す記録再生装置１０では、これにより、磁気ディスク１の回転などを制御可能としている。
【００６８】
磁気ディスク１の円周部近傍には固定軸６６が配置されており、この固定軸６６は、その上下２ヶ所に配置されたボールベアリング（図示せず）を介して磁気ヘッドアセンブリ６７を揺動可能に支持している。磁気ヘッドアセンブリ６７のボビン部にはコイル（図示せず）が巻きつけられており、このコイルとそれを挟んで対向して配置された永久磁石と対向ヨークとは磁気回路を形成するのとともにボイスコイルモータ６８を構成している。このボイスコイルモータ６８も制御部に接続されており、それにより、磁気ヘッドアセンブリ６７の先端のヘッドスライダ６１２を、磁気ディスク１の所望のサブトラック２１０上へと位置させることを可能としている。
【００６９】
磁気ヘッドアセンブリ６７は、例えば、駆動コイルを保持するボビン部などを備えたアクチュエータアーム６１０を有している。このアクチュエータアーム６１０にはサスペンション６１１の一端が取り付けられており、サスペンション６１１の他端にはヘッドスライダ６１２が取り付けられている。このヘッドスライダ６１２には、記録再生ヘッドが組み込まれている。なお、アクチュエータアーム６１０の先端には微小位置制御を行うためのピエゾ素子が設置されている。
【００７０】
サスペンション６１１上には信号の書き込み及び読み取り用などのリード線（図示せず）が形成されており、これらリード線はヘッドスライダ６１２に組み込まれた記録再生ヘッドの電極にそれぞれ電気的に接続されている。なお、この磁気記録再生装置１０において、情報の記録及び再生は、磁気ディスク１を回転させ、それによって生じる気流によりヘッドスライダ６１２を磁気ディスク１から浮上させた状態で行う。また、図７に示す磁気記録再生装置１０において、スピンドル６３に接続されたモータ及びボイスコイルモータ６８などは駆動機構を構成しており、磁気記録再生装置１０の内部にはサーボ領域３からの信号に基づいてトラッキング信号を発生するためのマイクロプロセッサが設置されている。
【００７１】
上記の記録再生装置１０は、磁気ディスク１として、第１乃至第３の実施形態の何れかに係る記録媒体１を搭載している。したがって、第１乃至第３の実施形態で説明した方法によりトラッキング等を行うことができる。
【００７２】
【発明の効果】
以上説明したように、本発明によると、記録トラック帯及び分離帯が設けられ且つトラッキングに問題を生じ難い記録媒体及びそれを用いた記録再生装置が提供される。
【図面の簡単な説明】
【図１】本発明の第１の実施形態に係る記録媒体の一部を概略的に示す平面図。
【図２】（ａ）乃至（ｆ）は、図１の記録媒体を記録再生装置に搭載した場合にバースト部から得られる信号の例を示すグラフ。
【図３】参考例に係る記録媒体とそれを搭載した記録再生装置の記録再生ヘッドに設けられた検出部との相対位置の例を概略的に示す平面図。
【図４】（ａ）乃至（ｆ）は、図３の記録媒体を記録再生装置に搭載した場合にバースト部から得られる信号の例を示すグラフ。
【図５】本発明の第２の実施形態に係る記録媒体の一部を概略的に示す平面図。
【図６】本発明の第３の実施形態に係る記録媒体の一部を概略的に示す平面図。
【図７】第１乃至第３の実施形態の何れかに係る記録媒体を搭載した記録再生装置の一例を概略的に示す斜視図。
【符号の説明】
１…記録媒体１、２…データ領域、３…サーボ領域、６…破線、２１…記録トラック帯、２２…分離帯、４１…第１方向、４２…第２方向、３１…ＡＧＣ部、３２…アドレス部、３３…パッド部、３４…バースト部、３５…パッド部、５１…線、５２…線、５３…線、５４…線、６３…スピンドル、６６…固定軸、６７…磁気ヘッドアセンブリ、６８…ボイスコイルモータ、２１０…サブトラック、３０１…第１信号レベル部、３０２…第２信号レベル部、６１０…アクチュエータアーム、６１１…サスペンション、６１２…ヘッドスライダ、２１０１…記録セル、２２０１…記録再生装置、Ｐ１…第１領域、Ｐ２…第２領域、Ｐ３…第３領域、Ｐ４…第４領域。
【図１】
2004265486.tif 000003
【図２】
2004265486.tif 000004
【図３】
2004265486.tif 000005
【図４】
2004265486.tif 000006
【図５】
2004265486.tif 000007
【図６】
2004265486.tif 000008
【図７】
2004265486.tif 000009